(57)【要約】      （修正有）【課題】机上作業時における体への負担を回避できるおんぶ感覚クッションを提供する。【解決手段】本体には腹部、胸部、顎までの前傾加重を同時にサポートするクッションを背面部１に設け、使用者の頭部を置く顎乗せ部３からの加重を机の天板上に乗せるだけで支えるアジャスター６を設け、机の天板側面部への加重を受け止めるクッション２を本体前面のアジャスター６両脇に設け、断面が湾曲し且つ弾力性のある支柱４を本体内部中央部に上下に亘り設ける。本体構造の全ての弾力性で前傾姿勢時にかかる加重を支える為、人のぬくもりのある背中におんぶされている状態を再現し、長時間に亘る作業をリラックスした状態に保ちながら体への負担を軽減する。また、机の天板上にアジャスター６を置くだけで使用できるシンプルな構造なので机の天板や椅子の肘掛等に固定する必要がなく、使いたい時だけ使えるクッションである。【選択図】図１
2013123635.tif 000002
【特許請求の範囲】
【請求項１】
机上作業時の腹部、胸部、顎乗せ部まで全ての前傾加重を受けるクッションを本体背面部に設置し、断面が湾曲した弾力性のある支柱を本体内部中央部に上下に亘り設置し、机の天板側面部に宛がうクッションを本体前面部アジャスター両脇に設置し、机の天板上で使用者の前傾加重を支え顎乗せ部の高さを調整可能にするアジャスターを本体前面部に有するおんぶらっこクッション
【発明の詳細な説明】
【技術分野】
【０００１】本発明は机に向かい椅子に座った状態での体勢補助を行うクッションに関するものである。
【背景技術】
【０００２】  椅子に着席しながら机に向かって作業を行う時、前傾姿勢での作業が多くをしめているが、背もたれにもたれた姿勢が前提の技術が多く、従来のクッションや体勢補助器具等では長時間の作業時には体への負担が大きかった。なお、作業時の腰、頭部の負担を軽減するものもいくつか知られている。
特開２００５−１７７４６３号公報では腹部から胸部までのクッション装着具で、椅子及び机に固定するものである。特開２０１１−２７５７９３号公報ではゲームを行うためのものであり、机上作業用の技術ではない。また特開２００１−１９８８８号公報では頭部のみのサポートに止まっている。全ての先行技術に於いて机上作業時に腹部から胸部、顎までを同時にサポートするものはこれまでなかった。
【先行技術文献】
【特許文献】
【０００３】
【特許文献１】特開２００５−１７７４６３号公報
【特許文献２】特開２０１１−２７５７９３号公報
【特許文献３】特開２００１−１９８８８号公報
【発明の概要】
【発明が解決しようとする課題】
【０００４】  机上作業時では、作業体勢の大半が前傾姿勢であるが、体にかかる負担は大きく、長時間の作業では自重を支えるものが無いため、腰、背中、首を痛める原因となり、頬杖をついたり、顎肘をつくことで無意識に体への負担を回避している現状がある。仮に腹部、胸部、顎の一部だけのサポート器具を使用しても、体の他の場所への負担がかかり、長時間の利用に適していなかった。また、特開２００５−１７７４６３号公報などにも見られるように机の天板や椅子などに固定してしまう器具等では作業を円滑に行う為の構造が複雑になり、多様な環境での使用が出来なくなる可能性も生じ、実用性と普及の可能性が低い物しかなかった。
本発明は、以上の問題点を解決するためになされたものである。
【課題を解決するための手段】
【０００５】  机上作業の前傾姿勢時にクッション本体を机と体の間に入れ、胸から机側にもたれかかり、顎乗せ部に顎を乗せて使用するクッションを提供する。本体には腹部、胸部、顎までの前傾加重を同時にサポートするクッションを背面部に設け、使用者の頭部を置く顎乗せ部からの加重を机の天板上に乗せるだけで支えるアジャスター部を設け、机の天板側面部への加重を受け止めるクッションを本体前面のアジャスター両脇に設け、断面が湾曲し且つ弾力性のある支柱を本体内部中央部に上下に亘り設ける。本体構造の全ての弾力性で前傾姿勢時にかかる加重を支える為、人のぬくもりのある背中におんぶされている状態を再現し、長時間に亘る作業をリラックスした状態に保ちながら体への負担を軽減できる。【００６】  机の天板上にアジャスター部を置き、もたれかかるだけで使用できるシンプルな構造なので机の天板や椅子の肘掛等に固定する必要がなく、使いたい時だけ使え、気軽に移動が出来るクッションであり、机の種類や椅子の高さなどの様々な使用環境を選ばず使用でき、使用者の身長などの個人差にもアジャスターの高さ調節で対応できる。
【発明の効果】
【０００７】  長時間の机上作業時（テレビ、ＰＣ、ゲーム、読書等）に、支えがない上半身（腹部、胸部、顎まで）の前傾加重を本クッションで同時に全てをサポートすることにより、肩こりや首こり腰痛を未然に防ぎ、リラックスした状態を長く保つ事が可能となり、姿勢の矯正にも有効となる。
使用者の前傾時の加重を本体各部のクッションと、机の天板との接地部がＲ状のアジャスターで支えており、アジャスターは固定式でなく机の天板に置くだけで支えているため、固定式では難しい作業時の前後左右の動きが対応可能になる。本体は軽く収納も出来るため、使用したいときにだけ取り出して使用でき、構造がシンプルであるため実用性も高く、本体クッションをキャラクターデザインにして子供から学生向けにしたり、お年寄りの介護用クッションとしたり、機能をそのままにデザインをシンプルにしてビジネス用にしたり、顎受け部の取り外し機能で女性の化粧落ちを防いだり、胸部形状の左右をえぐり細くして女性のバストへの圧迫を防ぎ、ひざ掛けを本体下部に付けられる機能を付加する等の発展性がある。
【図面の簡単な説明】
【０００８】
【図１】本発明の斜視図
【図２】本発明の使用状態を示す側面図
【図３】本発明の使用時のアジャスターと両脇のクッションとの位置関係及び顎乗せ部の形状と本体側面のえぐり部を示す側面図
【図４】アジャスターと机の天板接地面がＲになることで本体が自由に動くことを示す図
【図５】本体内部中央部に接地する湾曲した弾力性のある支柱の断面図
【図６】アジャスター台座部の角度を示す図
【図７】顎乗せ部の取り外し形状を示す図
【発明を実施するための形態】
【０００９】以下、本発明の実施の形態を説明する。
（イ）本体背面部（１）全体にクッションを設け使用者の前傾加重を同時に受け止める。
（ロ）机の天板側面に接面する部分にクッション（２）を設け使用時の前傾加重を支える。
（ハ）本体上部に顎乗せクッション（３）を設け、前傾時に顎を乗せて頭部及び首への負担を軽減する。女性が使用する際に化粧等が落ちないよう取り外し可能な構造を設ける。（図７参照）
（ニ）本体内部の中央部に断面が湾曲状の弾力性のある支柱（４）（図５参照）を設け使用時の前傾加重を本体の中から支える。
（ホ）机の天板に乗せて前傾加重を支える為のアジャスター（６）を取付ける台座（５）を本体前面中央に設ける。
（ヘ）机の高さ、椅子の高さ等の使用環境および身長、座高など個人差に対応できるよう顎乗せ部（３）の高さを調整できるアジャスター（６）を設ける。
（ト）本体側部（７）は女性のバスト圧迫回避のためと、作業がしやすいようにえぐれた構造を設ける。（図７参照）
（チ）天板側面接面部（１１）の天板側面接面部クッション（２）は前傾加重時にアジャスター（６）に干渉しないようアジャスターの両脇に設ける。（図１参照）
（リ）アジャスター台座（５）は前傾加重時に垂直になるよう角度を設ける。（図６参照）
（ヌ）顎乗せ部（３）は顎の両脇を支える形状を設ける。（図７参照）
（ル）顎乗せ部（３）後方の使用者の喉仏との接触部付近はえぐれた構造を設ける。（図７参照）
（ヲ）アジャスター（６）は机天板接地面（１０）が曲面構造のものを設ける。（図６参照）
（ワ）本体背面下部にカイロが入るポケット（８）を設ける。
（カ）本体下部にひざ掛けずれ止め防止面ファスナー（１２）を設ける。
本発明は以上のような構造である。
【００１０】本発明を使用するときは、椅子に座った状態で机と体の間に本体を入れて抱え込み、天板側面接面部クッション（２）を天板の側面に宛がい、体を胸から前傾させもたれかかり、アジャスター（６）を机天板に乗せ、顎を顎乗せクッション（３）に置き使用する。（図２参照）その際、アジャスター（６）にて顎乗せ部（３）を机の高さと椅子の高さ等の使用環境や好みの高さに調整して使用する。カイロポケット（８）にカイロを入れて使用すれば、お腹を冷やすことなく作業するとこが可能になる。また、オフィス等で女性が使用時、化粧落ちが気になる場合は顎乗せクッション（３）を取り外して使用も可能でき、取り外した内部にアロマを入れる部位（１３）を設置し、リラックス効果を高める事もできる。また、夏季エアコンや冬季での下半身の冷え対策にひざ掛けが本体下部の面ファスナー（１２）により取り付け可能となり、ひざ掛けのずれ落ちを防ぐことができる。
【符号の説明】
【００１１】１、本体背面部  ２、天板側面接面部クッション  ３、顎乗せ部  ４、バネ支柱  ５、アジャスター台座  ６、アジャスター  ７、本体側部  ８、カイロポケット  ９、机天板  １０、天板接地面  １１、天板側面接面部  １２、ひざ掛け留め面ファスナー  １３、アロマ入れ
【図１】
2013123635.tif 000003
【図２】
2013123635.tif 000004
【図３】
2013123635.tif 000005
【図４】
2013123635.tif 000006
【図５】
2013123635.tif 000007
【図６】
2013123635.tif 000008
【図７】
2013123635.tif 000009